(57)【要約】【課題】光検出の効率を向上することができ、ひいてはフィードバック制御の効率を向上することができる技術を提供する。【解決手段】本発明の制御装置は、複数の光源部、光センサ、及び、温度センサを有する表示装置による表示を制御する制御装置であって、入力画像データに基づいて各光源部の発光を制御する制御手段と、複数の光源部のいずれかを対象光源部として選択する選択手段と、入力画像データに基づく対象光源部の発光から、対象光源部からの光の光センサによる検出が可能か否かを判断する判断手段と、対象光源部からの光に対応する光検出値を光センサから取得する第１取得手段と、対象光源部の温度に対応する温度検出値を温度センサから取得する第２取得手段と、を有し、選択手段は、判断手段の判断結果と温度検出値の変化とに基づいて、他の光源部よりも優先して又は頻繁に対象光源部として選択する優先光源部を決定する。【選択図】図１
2018101083.tif 000002
【特許請求の範囲】
【請求項１】
複数の光源部、前記複数の光源部のそれぞれから発せられた光を検出する光センサ、及び、前記複数の光源部のそれぞれの温度を検出する温度センサを有する表示装置による表示を制御する制御装置であって、
入力画像データに基づいて前記複数の光源部のそれぞれの発光を制御する制御手段と、
前記複数の光源部のいずれかを対象光源部として選択する選択手段と、
前記入力画像データに基づく前記対象光源部の発光から、前記対象光源部からの光の前記光センサによる検出が可能か否かを判断する判断手段と、
前記対象光源部からの光に対応する光検出値を前記光センサから取得する第１取得手段と、
前記対象光源部の温度に対応する温度検出値を前記温度センサから取得する第２取得手段と、
を有し、
前記選択手段は、前記判断手段の判断結果と前記第２取得手段によって取得された温度検出値の変化とに基づいて、他の光源部よりも優先して又は頻繁に前記対象光源部として選択する優先光源部を決定する
ことを特徴とする制御装置。
【請求項２】
前記選択手段は、前記対象光源部からの光の前記光センサによる検出が可能でないと第１閾値以上連続して判断された１つ以上の光源部から、前記温度検出値の変化に基づいて、前記優先光源部を決定する
ことを特徴とする請求項１に記載の制御装置。
【請求項３】
前記選択手段は、前記対象光源部からの光の前記光センサによる検出が可能でないと第１閾値以上連続して判断され、且つ、前記対象光源部からの光の前記光センサによる検出が可能であると最後に判断されてから温度検出値が第２閾値以上変化した光源部を、前記優先光源部として決定する
ことを特徴とする請求項１または２に記載の制御装置。
【請求項４】
前記第２閾値は、前記光源部の発光特性の変化の大きさが第３閾値以上となる温度差に対応する
ことを特徴とする請求項３に記載の制御装置。
【請求項５】
前記選択手段は、前記対象光源部からの光の前記光センサによる検出が可能であると最後に判断されてからの温度検出値の変化が大きいほど優先して又は頻繁に、前記優先光源部を前記対象光源部として選択する
ことを特徴とする請求項１〜４のいずれか１項に記載の制御装置。
【請求項６】
前記制御手段は、前記光源部の点灯期間の長さを前記入力画像データに基づいて制御することにより、前記光源部の発光を制御し、
前記制御手段は、前記対象光源部の点灯期間の長さが第４閾値以上である場合に、前記対象光源部からの光の前記光センサによる検出が可能であると判断し、前記対象光源部の点灯期間の長さが前記第４閾値未満である場合に、前記対象光源部からの光の前記光センサによる検出が可能でないと判断する
ことを特徴とする請求項１〜５のいずれか１項に記載の制御装置。
【請求項７】
前記判断手段は、前記優先光源部からの光の前記光センサによる検出が可能か否かをさらに判断し、
前記選択手段は、前記優先光源部からの光の前記光センサによる検出が可能であると判
断された場合に、前記優先光源部を前記対象光源部として選択する
ことを特徴とする請求項１〜６のいずれか１項に記載の制御装置。
【請求項８】
前記選択手段は、
前記複数の光源部のそれぞれを前記対象光源部として順番に選択する選択処理を行い、
前記優先光源部からの光の前記光センサによる検出が可能であると前記選択処理の途中で判断された場合に、前記選択処理を中断し、前記選択処理を再度行う
ことを特徴とする請求項１〜７のいずれか１項に記載の制御装置。
【請求項９】
所定の表示が行われていた領域で前記所定の表示が行われなくなる表示解除を検出する検出手段、をさらに有し、
前記選択手段は、前記表示解除が検出された場合に、前記所定の表示から他の表示へ表示が切り替わる領域に対応する優先光源部を前記対象光源部として選択する
ことを特徴とする請求項１〜８のいずれか１項に記載の制御装置。
【請求項１０】
前記選択手段は、
前記複数の光源部のそれぞれを前記対象光源部として順番に選択する選択処理を行い、
前記選択処理の途中で前記表示解除が検出された場合に、前記選択処理を中断し、前記選択処理を再度行う
ことを特徴とする請求項９に記載の制御装置。
【請求項１１】
前記検出手段は、前記表示装置によって表示される画像のレイアウトの変更に起因した前記表示解除を検出する
ことを特徴とする請求項９または１０に記載の制御装置。
【請求項１２】
前記検出手段は、前記レイアウトに関する表示モードの、前記表示解除をもたらす切り替わりを検出する
ことを特徴とする請求項１１に記載の制御装置。
【請求項１３】
前記入力画像データから表示画像データを生成する生成手段、をさらに有し、
前記表示装置は、前記表示画像データに基づく画像を表示し、
前記検出手段は、前記表示画像データに基づいて前記表示解除を検出する
ことを特徴とする請求項９〜１１のいずれか１項に記載の制御装置。
【請求項１４】
前記所定の表示は、黒色の表示である
ことを特徴とする請求項９〜１３のいずれか１項に記載の制御装置。
【請求項１５】
前記制御手段は、前記第１取得手段によって取得された光検出値に基づいて、前記対象光源部の発光が目標の発光に近づくように、前記対象光源部の発光を制御する
ことを特徴とする請求項１〜１４のいずれか１項に記載の制御装置。
【請求項１６】
複数の光源部、前記複数の光源部のそれぞれから発せられた光を検出する光センサ、及び、前記複数の光源部のそれぞれの温度を検出する温度センサを有する表示装置による表示を制御する制御方法であって、
入力画像データに基づいて前記複数の光源部のそれぞれの発光を制御する制御ステップと、
前記複数の光源部のいずれかを対象光源部として選択する選択ステップと、
前記入力画像データに基づく前記対象光源部の発光から、前記対象光源部からの光の前
記光センサによる検出が可能か否かを判断する判断ステップと、
前記対象光源部からの光に対応する光検出値を前記光センサから取得する第１取得ステップと、
前記対象光源部の温度に対応する温度検出値を前記温度センサから取得する第２取得ステップと、
を有し、
前記選択ステップでは、前記判断ステップにおける判断結果と前記第２取得ステップにおいて取得された温度検出値の変化とに基づいて、他の光源部よりも優先して又は頻繁に前記対象光源部として選択する優先光源部を決定する
ことを特徴とする制御方法。
【請求項１７】
請求項１６に記載の制御方法の各ステップをコンピュータに実行させるためのプログラム。
【発明の詳細な説明】
【技術分野】
【０００１】
本発明は、制御装置および制御方法に関する。
【背景技術】
【０００２】
近年、表示装置によって表示された画像の画質（輝度安定性、階調性、コントラスト、等）に対するユーザの要求レベルが日々高まっている。また、バックライトユニットの光源としてＬＥＤ（Ｌｉｇｈｔ  Ｅｍｉｔｔｉｎｇ  Ｄｉｏｄｅ）を有する液晶表示装置が増えている。
【０００３】
上述したバックライトユニットなどの発光装置では、温度変化、経時劣化、等を含む環境変化によって、光源の発光輝度が変化する。そのため、光源から発せられた光を光センサ（輝度センサなど）で検出し、光センサの検出値（光検出値）が一定になるように光源の発光輝度のフィードバック制御を行う技術が提案されている（特許文献１）。このようなフィードバック制御を行えば、光源の発光輝度を一定に保ったり、発光装置から発せられる光の輝度ムラを抑制（低減）したりすることができる。
【０００４】
液晶表示装置では、黒色を表示する際に、バックライトユニットから発せられた光を液晶パネルが完全に遮断することができず、黒浮きが発生する。そのため、バックライトユニットが有する複数の光源のうち、入力画像データの低輝度の画像領域に対応する光源の発光輝度を低減する技術が提案されている。このような発光輝度の制御は、「ローカルディミング制御」などと呼ばれる。このようなローカルディミング制御を行えば、黒浮きを抑制し、表示画像（表示装置の画面に表示された画像）のコントラストを高めることができる。ローカルディミング制御を行うと共に、光源の発光輝度の変化による表示輝度（画面の輝度；表示画像の輝度）の変化が抑制されるように入力画像データを補正すれば、表示画像のコントラストをさらに高めることができる。
【０００５】
光源の発光輝度（発光量）の制御方法として、ＰＡＭ（Ｐｕｌｓｅ  Ａｍｐｌｉｔｕｄｅ  Ｍｏｄｕｌａｔｉｏｎ）制御、ＰＷＭ（Ｐｕｌｓｅ  Ｗｉｄｔｈ  Ｍｏｄｕｌａｔｉｏｎ）制御、等がある。光源の発光輝度の制御方法として、ＰＨＭ（Ｐｕｌｓｅ  Ｈａｒｍｏｎｉｃ  Ｍｏｄｕｌａｔｉｏｎ）制御もある。ＰＡＭ制御は、光源に供給する駆動信号（電圧、電流）の大きさであるパルス振幅を変更することにより、光源の発光輝度を変更する制御方法である。ＰＷＭ制御は、光源に供給する駆動信号の供給時間であるパルス幅を変更することにより、光源の発光輝度を変更する制御方法である。光源に供給する駆動信号の供給時間は「光源の点灯時間」とも言える。ＰＷＭ制御は「所定期間の長さ（時間）に対する当該所定期間における光源の総点灯時間の比であるデューティ比を変更することにより、当該所定期間における光源の発光輝度を変更する制御方法」とも言える。ＰＨＭ制御は、パルス振幅とパルス幅の両方を変更することにより、光源の発光輝度を変更する制御方法である。上述したローカルディミング制御、フィードバック制御、等では、一般的に、ＰＷＭ制御が行われる。
【先行技術文献】
【特許文献】
【０００６】
【特許文献１】特開平１１−２９５６８９号公報
【発明の概要】
【発明が解決しようとする課題】
【０００７】
光源から発せられた光の検出方法の一例を、図２５（Ａ）〜２５（Ｆ）を用いて説明す
る。図２５（Ａ）は、表示画像の１フレームの期間であるフレーム期間を示す。図２５（Ｂ）は、光源の発光が制御される期間である発光制御期間を示す。そして、図２５（Ｃ）〜２５（Ｆ）は、４つの光源１〜４の状態（点灯または消灯）を示す。図２５（Ａ）〜２５（Ｆ）の例では、１つの光源を対象光源として選択し、対象光源以外の全ての光源を一時的に消灯し、対象光源からの光を光センサで検出する処理が、１つのフレーム期間に１回行われる。図２５（Ａ）〜２５（Ｆ）は、光源１が対象光源として選択される例を示す。図２５（Ａ）〜２５（Ｆ）の例では、複数のフレーム期間を使って複数の光源にそれぞれ対応する複数の光検出値が得られる。
【０００８】
光源の発光輝度の維持、発光装置から発せられる光の輝度ムラの抑制、等よりも、表示画像のコントラストの向上が優先されるようにローカルディミング制御が行われることがある。しかしながら、そのようなローカルディミング制御では、光源の発光輝度が非常に低い輝度に制御されたり、光源が消灯されたりする。その結果、光源の点灯期間の長さが光センサでの光検出（光源からの光の検出）に必要な時間よりも短いために、光検出が行えないことがある。
【０００９】
光検出が行えない期間において、過去の光検出値を用いたフィードバック制御が行われることがある。しかしながら、光検出が行えない期間でも、光源の温度変化によって、光源の発光特性は変化する。その結果、高精度なフィードバック制御が行えないために、表示画像の画質が劣化する。
【００１０】
さらに、光検出が行えない光源が発生する画像から、光検出が行えない光源が発生しない画像へ、表示が切り替わる場合などにおいて、表示画像の画質が大きく劣化する。具体的には、光検出が行えなかった光源の光検出に成功して高精度なフィードバック制御が実現されるまでに、表示画像の画質が大きく劣化する。例えば、表示画像の輝度ムラが発生する。
【００１１】
例えば、６００個以上の光源が存在し、フレームレートが６０Ｈｚであり、且つ、１つのフレーム期間に１回の光検出が行われる場合には、全ての光源の光検出値を得るために１０秒以上という長い時間を要する。そのため、光検出が行えなかった光源の光検出に成功して高精度なフィードバック制御が実現されるまでには、長い時間を要する。そして、表示画像の画面の大型化、表示画像の高輝度化、等に伴い、バックライトユニットの光源の数が増し、全ての光源の光検出値を得るために要する時間が増すと考えられる。
【００１２】
本発明は、光検出の効率を向上することができ、ひいてはフィードバック制御の効率を向上することができる技術を提供することを目的とする。
【課題を解決するための手段】
【００１３】
本発明の第１の態様は、
複数の光源部、前記複数の光源部のそれぞれから発せられた光を検出する光センサ、及び、前記複数の光源部のそれぞれの温度を検出する温度センサを有する表示装置による表示を制御する制御装置であって、
入力画像データに基づいて前記複数の光源部のそれぞれの発光を制御する制御手段と、
前記複数の光源部のいずれかを対象光源部として選択する選択手段と、
前記入力画像データに基づく前記対象光源部の発光から、前記対象光源部からの光の前記光センサによる検出が可能か否かを判断する判断手段と、
前記対象光源部からの光に対応する光検出値を前記光センサから取得する第１取得手段と、
前記対象光源部の温度に対応する温度検出値を前記温度センサから取得する第２取得手段と、
を有し、
前記選択手段は、前記判断手段の判断結果と前記第２取得手段によって取得された温度検出値の変化とに基づいて、他の光源部よりも優先して又は頻繁に前記対象光源部として選択する優先光源部を決定する
ことを特徴とする制御装置である。
【００１４】
本発明の第２の態様は、
複数の光源部、前記複数の光源部のそれぞれから発せられた光を検出する光センサ、及び、前記複数の光源部のそれぞれの温度を検出する温度センサを有する表示装置による表示を制御する制御方法であって、
入力画像データに基づいて前記複数の光源部のそれぞれの発光を制御する制御ステップと、
前記複数の光源部のいずれかを対象光源部として選択する選択ステップと、
前記入力画像データに基づく前記対象光源部の発光から、前記対象光源部からの光の前記光センサによる検出が可能か否かを判断する判断ステップと、
前記対象光源部からの光に対応する光検出値を前記光センサから取得する第１取得ステップと、
前記対象光源部の温度に対応する温度検出値を前記温度センサから取得する第２取得ステップと、
を有し、
前記選択ステップでは、前記判断ステップにおける判断結果と前記第２取得ステップにおいて取得された温度検出値の変化とに基づいて、他の光源部よりも優先して又は頻繁に前記対象光源部として選択する優先光源部を決定する
ことを特徴とする制御方法である。
【００１５】
本発明の第３の態様は、上述した制御方法の各ステップをコンピュータに実行させるためのプログラムである。
【発明の効果】
【００１６】
本発明によれば、光検出の効率を向上することができ、ひいてはフィードバック制御の効率を向上することができる。
【図面の簡単な説明】
【００１７】
【図１】実施例１に係る表示装置の構成例
【図２】実施例１に係るバックライトユニットの構成例
【図３】実施例１に係る測定順序テーブルの一例
【図４】実施例１に係るセンサテーブルの一例
【図５】実施例１に係る基準値テーブルの一例
【図６】実施例１に係る実施例に係る制御装置の動作例
【図７】実施例１に係る実施例に係る制御装置の動作例
【図８】実施例１に係る実施例に係る制御装置の動作例
【図９】実施例１に係るＰＷＭ制御の一例
【図１０】実施例１に係る対象光源部と対応センサの一例
【図１１】実施例１に係るＰＷＭ制御の一例
【図１２】実施例１に係る入力画像データと発光制御値の一例
【図１３】実施例１に係る対象光源部と対応センサの一例
【図１４】実施例１に係る実施例に係る制御装置の動作例
【図１５】実施例１に係る判断結果の一例
【図１６】実施例１に係る測定順序テーブルの補正の一例
【図１７】実施例１に係る優先度の一例
【図１８】実施例２に係る表示装置の構成例
【図１９】実施例２に係る実施例に係る制御装置の動作例
【図２０】実施例２に係る実施例に係る制御装置の動作例
【図２１】実施例３に係る表示装置の構成例
【図２２】実施例３に係る表示モードと発光制御値の一例
【図２３】実施例３に係る実施例に係る制御装置の動作例
【図２４】実施例３に係る実施例に係る制御装置の動作例
【図２５】光検出の一例
【発明を実施するための形態】
【００１８】
＜実施例１＞
以下、本発明の実施例１について説明する。以下では、表示装置が本実施例に係る制御装置を有する例を説明する。しかしながら、制御装置は、表示装置とは別体の装置であってもよい。例えば、制御装置は、表示装置とは別体のパーソナルコンピュータ（ＰＣ）であってもよい。制御装置は、表示装置による表示を制御する。
【００１９】
さらに、以下では、表示装置が透過型の液晶表示装置である例を説明するが、表示装置は、透過型の液晶表示装置に限られない。例えば、発光部と、発光部からの光を画像データに基づいて変調（透過、反射、等）することにより画面に画像を表示する表示部と、を有する他の表示装置が使用されてもよい。具体的には、反射型の液晶表示装置、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッタを有するＭＥＭＳシャッタ方式表示装置、プロジェクタ、等が使用されてもよい。有機ＥＬ表示装置、プラズマ表示装置、等の自発光型の表示装置が使用されてもよい。
【００２０】
図１は、本実施例に係る表示装置の構成例を示すブロック図である。本実施例に係る表示装置は、制御装置１００、液晶パネル１２０、及び、バックライトユニット２００を有する。
【００２１】
液晶パネル１２０は、制御装置１００（具体的には、後述する画像出力部１０５）から出力された画像データに応じて、画面に画像を表示する。具体的には、液晶パネル１２０は、複数の液晶素子を有しており、画像出力部１０５から出力された画像データに応じて各液晶素子の透過率を制御する。そして、バックライトユニット２００から発せられた光が各液晶素子を透過することにより、画面に画像が表示される。
【００２２】
バックライトユニット２００は、複数の光源部２０１、複数の光センサ２０２、及び、複数の温度センサ２０３を有する。バックライトユニット２００（複数の光源部２０１）から発せられた光は、液晶パネル１２０の背面に照射される。図２に示すように、本実施例では、バックライトユニット２００の発光面を構成する複数の分割発光領域２０４のそれぞれに、１つの光源部２０１が設けられている。複数の分割発光領域２０４はマトリクス状に配置されており、複数の光源部２０１もマトリクス状に配置されている。１つの光源部２０１は、４つのＬＥＤ（Ｌｉｇｈｔ  Ｅｍｉｔｔｉｎｇ  Ｄｉｏｄｅ）２０５を有する。そして、２行２列の４つの分割発光領域２０４に１つの光センサ２０２と１つの温度センサ２０３とが設けられている。４つの分割発光領域２０４からなる領域において、温度センサ２０３は、光センサ２０２の近傍に設けられている。複数の光センサ２０２はマトリクス状に配置されており、複数の温度センサ２０３もマトリクス状に配置されている。
【００２３】
複数の光源部２０１の発光は、個別に制御される。光源部２０１の発光の制御として、例えば、光源部２０１の発光輝度の制御、光源部２０１の発光色の制御、発光輝度と発光色の両方の制御、等が行われる。本実施例では、光源部２０１の発光輝度が制御される例
を説明する。
【００２４】
複数の光センサ２０２により、複数の光源部２０１のそれぞれから発せられた光が検出される。各光センサ２０２は、検出した光に対応する光検出値を出力する。本実施例では、光源部２０１からの光の検出に、当該光源部２０１に対応する光センサ２０２が使用される。光源部２０１に対応する光センサ２０２は、光源部２０１が設けられた分割発光領域２０４を含む４つの分割発光領域２０４に設けられた光センサ２０２である。光センサ２０２として、例えば、光の輝度を検出するセンサ、光の色を検出するセンサ、光の輝度と光の色との両方を検出するセンサ、等を用いることができる。本実施例では、光センサ２０２によって、光の輝度が検出される例を説明する。
【００２５】
複数の温度センサ２０３により、複数の光源部２０１のそれぞれの温度が検出される。各温度センサ２０３は、検出した温度に対応する温度検出値を出力する。本実施例では、光源部２０１の温度の検出に、当該光源部２０１に対応する温度センサ２０３が使用される。光源部２０１に対応する温度センサ２０３は、光源部２０１が設けられた分割発光領域２０４を含む４つの分割発光領域２０４に設けられた温度センサ２０３である。本実施例では、４つの分割発光領域２０４にそれぞれ設けられた４つの光源部２０１の間で温度検出値が共通する。上述したように、４つの分割発光領域２０４からなる領域において、温度センサ２０３は、光センサ２０２の近傍に設けられている。そのため、光源部２０１の温度に対応する温度検出値は、光センサ２０２の温度に対応する温度検出値でもある。
【００２６】
なお、光源部２０１の配置、光源部２０１の数、光センサ２０２の配置、光センサ２０２の数、温度センサ２０３の配置、温度センサ２０３の数、分割発光領域２０４の配置、分割発光領域２０４の数、等は特に限定されない。例えば、複数の光源部２０１が千鳥格子状に配置されていてもよい。４つより多くの分割発光領域２０４に１つの光センサ２０２が設けられていてもよいし、４つより少ない分割発光領域２０４に１つの光センサ２０２が設けられていてもよい。複数の分割発光領域２０４のそれぞれに１つの光センサ２０２が設けられていてもよい。光センサ２０２の数は１つであってもよい。温度センサ２０３についても同様である。
【００２７】
なお、光源部２０１が有する発光素子はＬＥＤ２０５に限られない。例えば、発光素子は、有機ＥＬ素子、冷陰極管、プラズマ素子、半導体レーザー、等であってもよい。１つの光源部２０１が有する発光素子の配置、１つの光源部２０１が有する発光素子の数、等も特に限定されない。例えば、１つの光源部２０１が有する発光素子の数は４つより多くてもよいし、１つの光源部２０１が有する発光素子の数は４つより少なくてもよい。１つの光源部２０１が有する発光素子の数は１つであってもよい。所定の色（例えば白色）の光を発する発光素子のみが使用されてもよいし、発光色が互いに異なる複数の発光素子が使用されてもよい。
【００２８】
制御装置１００は、画像入力部１０１、目標輝度決定部１０２、ＢＬ輝度推定部１０３、画像補正部１０４、画像出力部１０５、フィードバック制御部１０６、発光制御値決定部１１０、発光制御部１１１、及び、検出値取得部１１２を有する。制御装置１００は、例えば、不図示のＲＯＭ、不図示のＲＡＭ、及び、不図示のＣＰＵを有する。そして、ＣＰＵがＲＯＭに格納されたプログラムを実行することにより、図１に示す複数の機能部（制御装置１００が有する複数の機能部）の少なくとも一部が実現される。ＲＡＭは、例えば、ＲＯＭに格納されたプログラムを実行する際にワークメモリとして使用される。制御装置１００は、時間管理を行う。例えば、制御装置１００は、ＣＰＵのＴｉｍｅｒ機能を用いて時間管理を行う。
【００２９】
画像入力部１０１は、表示装置（制御装置１００）の外部から画像データ（入力画像デ
ータ）を取得し、入力画像データをデコードし、デコード後の画像データを画像補正部１０４と目標輝度決定部１０２へ出力する。入力画像データは、例えば、不図示のＰＣ（Ｐｅｒｓｏｎａｌ  Ｃｏｍｐｕｔｅｒ）から、ＤＶＩ（Ｄｉｇｉｔａｌ  Ｖｉｓｕａｌ  Ｉｎｔｅｒｆａｃｅ）ケーブルなどのケーブルを介して取得される。
【００３０】
なお、入力画像データは無線で取得されてもよい。入力画像データとして、デコード後の画像データが取得されてもよい。その場合には、例えば、画像入力部１０１は、入力画像データを画像補正部１０４と目標輝度決定部１０２へ出力する。
【００３１】
なお、表示画像（表示装置の画面に表示された画像）のフレームレートは、入力画像データのフレームレートと同じであってもよいし、入力画像データのフレームレートと異なっていてもよい。表示画像のフレームレートが入力画像データのフレームレートと異なる場合には、例えば、画像入力部１０１は、表示画像のフレームレートと同じフレームレートへ入力画像データのフレームレートを変換するフレームレート変換処理を行う。そして、画像入力部１０１は、フレームレート変換処理後の画像データを画像補正部１０４と目標輝度決定部１０２へ出力する。本実施例では、表示画像のフレームレートが入力画像データのフレームレートと同じである例を説明する。
【００３２】
なお、画像入力部１０１は、輝度変換処理、色変換処理、解像度変換処理、ぼかし処理、エッジ強調処理、フレームレート変換処理、Ｉ／Ｐ変換処理、等の画像処理を入力画像データに施してもよい。その場合には、画像入力部１０１は、画像処理後の画像データを画像補正部１０４と目標輝度決定部１０２へ出力する。
【００３３】
目標輝度決定部１０２は、入力画像データに基づいて、複数の光源部２０１のそれぞれの目標輝度を決定する。目標輝度は、目標の発光に対応する発光輝度である。本実施例では、目標輝度決定部１０２は、画像入力部１０１から出力された画像データに基づいて、各光源部２０１の目標輝度を決定する。例えば、目標輝度決定部１０２は、画像データの暗い領域での目標輝度として、画像データの明るい領域での目標輝度よりも低い目標輝度が決定されるように、各光源部２０１の目標輝度を決定する。そして、目標輝度決定部１０２は、各光源部２０１の目標輝度を示す目標輝度情報を、ＢＬ輝度推定部１０３と発光制御値決定部１１０へ出力する。本実施例では、目標輝度の決定と目標輝度情報の出力とが、画像入力部１０１から出力された画像データの各フレームについて行われる。
【００３４】
なお、目標輝度の決定方法は特に限定されない。目標輝度の決定方法として、提案されている種々の方法を用いることができる。例えば、画面を構成する複数の分割表示領域に複数の光源部２０１がそれぞれ対応付けられていてもよい。そして、複数の光源部２０１のそれぞれについて、分割表示領域における画像データの輝度に関する特徴量が取得され、取得された特徴量に応じて目標輝度が決定されてもよい。特徴量として、例えば、階調値の代表値（平均値、最大値、最小値、最頻値、中間値、等）、階調値のヒストグラム、等が使用される。
【００３５】
なお、画面と平行な面において、分割表示領域が分割発光領域２０４と一致してもよいし、分割表示領域が分割発光領域２０４と一致しなくてもよい。分割発光領域２０４とは異なる表示領域（画面の領域）が、光源部２０１に対応する対応表示領域として使用されてもよい。例えば、対応表示領域は他の対応表示領域から離れていてもよいし、対応表示領域の少なくとも一部が他の対応表示領域の少なくとも一部に重なっていてもよい。１つの対応表示領域に２つ以上の光源部２０１が対応付けられていてもよい。対応表示領域は、画面の一部の領域であってもよいし、画面全体の領域であってもよい。対応表示領域の数、対応表示領域の配置、対応表示領域の形状、等は特に限定されない。
【００３６】
ＢＬ輝度推定部１０３は、目標輝度情報に基づいて、各光源部２０１の発光輝度が目標輝度に制御された場合にバックライトユニット２００から発せられる光の、バックライトユニット２００の発光面と平行な方向における輝度分布を推定する。そして、ＢＬ輝度推定部１０３は、推定された輝度分布を示す輝度分布情報を画像補正部１０４へ出力する。本実施例では、輝度分布の推定と輝度分布情報の出力とが、画像入力部１０１から出力された画像データの各フレームについて行われる。なお、光源部２０１からの光の減衰、光源部２０１からの光の拡散、等を考慮して輝度分布が推定されることが好ましい。例えば、光源部２０１からの光が、当該光源部２０１に対応する分割発光領域以外の分割発光領域に漏れる場合には、そのような光の漏れを考慮して輝度分布が推定されることが好ましい。
【００３７】
画像補正部１０４は、輝度分布情報に基づいて、光源部２０１の目標輝度（発光輝度）の変化による表示輝度（画面の輝度；表示画像の輝度）の変化が抑制されるように、画像入力部１０１から出力された画像データを補正する。そして、画像補正部１０４は、補正後の画像データを画像出力部１０５へ出力する。本実施例では、輝度分布情報に基づく補正が、画像入力部１０１から出力された画像データの各フレームについて行われる。
【００３８】
画像出力部１０５は、画像補正部１０４から出力された画像データを液晶パネル１２０へ出力し、画像補正部１０４から出力された画像データの垂直同期信号を発光制御部１１１へ出力する。画像補正部１０４から出力された画像データの垂直同期信号は、当該画像データの各フレームの期間（フレーム期間）を示す。本実施例では、画像補正部１０４から出力された画像データのフレーム期間（１フレームの期間）は、画像入力部１０１から出力された画像データのフレーム期間と同じであり、表示画像のフレーム期間と同じである。
【００３９】
フィードバック制御部１０６は、光源部２０１の発光補正値を決定する。発光補正値を決定する処理のタイミングは特に限定されない。本実施例では、フィードバック制御部１０６は、複数の光源部２０１のそれぞれの発光補正値を決定する処理を、所定時間おきに行う。発光補正値は、温度変化、経時劣化、等を含む環境変化に起因した光源部２０１の発光の変化を抑制（低減）する補正値である。発光補正値は、例えば、発光輝度の変化を抑制する補正値、発光色の変化を抑制する補正値、発光輝度の変化と発光色の変化との両方を抑制する補正値、等である。本実施例では、発光輝度の変化を抑制する発光補正値が決定されて使用される例を説明する。
【００４０】
フィードバック制御部１０６は、優先光源決定部１０７、測定制御部１０８、補正値決定部１０９、センサ情報記憶部１１３、及び、テーブル記憶部１１４を備える。
【００４１】
優先光源決定部１０７は、温度検出値と後述する測定可否情報とをセンサ情報記憶部１１３から取得し、測定順序テーブルをテーブル記憶部１１４から取得する。そして、優先光源決定部１０７は、温度検出値と測定可否情報に基づいて優先光源部を決定し、優先光源部の決定結果に基づいて測定順序テーブルを補正し、補正後の測定順序テーブルをテーブル記憶部１１４に記録する。それにより、テーブル記憶部１１４に記録された測定順序テーブルが更新される。優先光源部は、他の光源部２０１よりも優先して又は頻繁に対象光源部（光検出値、温度検出値、等を取得する測定の対象）として選択する光源部２０１である。
【００４２】
本実施例では、優先光源決定部１０７は、複数の光源部２０１のそれぞれについて、温度検出値と測定可否情報に基づいて優先度を決定する。そして、優先光源決定部１０７は、各光源部２０１の優先度に基づいて測定順序テーブルを補正する。
【００４３】
図３は、測定順序テーブルの一例を示す。測定順序テーブルは、測定番号ｐｒｉ＿ｎｕｍと光源番号ｂｌｋ＿ｎｕｍの対応関係を示すテーブルである。測定番号ｐｒｉ＿ｎｕｍは、測定に対応する番号である。最初の測定に対応する測定番号ｐｒｉ＿ｎｕｍは０であり、最初の測定から順番に測定番号ｐｒｉ＿ｎｕｍは１ずつ増加する。光源番号ｂｌｋ＿ｎｕｍは、光源部２０１に対応する番号である。本実施例では、複数の光源部２０１にそれぞれ対応する複数の光源番号ｂｌｋ＿ｎｕｍが予め定められている。優先光源決定部１０７は、測定番号ｐｒｉ＿ｎｕｍと光源番号ｂｌｋ＿ｎｕｍの対応関係を補正することにより、測定順序テーブルを補正する。
【００４４】
測定制御部１０８は、測定順序テーブルとセンサテーブルをテーブル記憶部１１４から取得する。測定制御部１０８は、測定順序テーブルとセンサテーブルに基づいて、複数の光源部２０１のいずれかを対象光源部として選択する。さらに、測定制御部１０８は、測定順序テーブルとセンサテーブルに基づいて、対象光源部に対応する光センサ２０２を対応光センサとして選択し、対象光源部に対応する温度センサ２０３を対応温度センサとして選択する。そして、測定制御部１０８は、対象光源部を示す対象光源情報と、測定制御要求とを、発光制御部１１１へ出力し、対応光センサと対応温度センサとを示す対応センサ情報を、検出値取得部１１２へ出力する。
【００４５】
図４は、センサテーブルの一例を示す。センサテーブルは、光源番号ｂｌｋ＿ｎｕｍ、光源部２０１の位置座標（ｘ，ｙ）、及び、光センサ２０２の位置座標であり且つ温度センサ２０３の位置座標である位置座標（ｓｘ，ｓｙ）の対応関係を示す。座標値ｘ，ｓｘは画面の水平方向における位置（水平位置）を示し、座標値ｙ，ｓｙは画面の垂直方向における位置（垂直位置）を示す。本実施例では、測定制御部１０８は、測定順序テーブルを用いて、行う測定の測定番号ｐｒｉ＿ｎｕｍに対応する光源番号ｂｌｋ＿ｎｕｍを、対象光源部の光源番号ｂｌｋ＿ｎｕｍとして判断する。測定制御部１０８は、センサテーブルを用いて、対象光源部の光源番号ｂｌｋ＿ｎｕｍに対応する位置座標（ｘ，ｙ）を、対象光源部の位置座標として判断する。さらに、測定制御部１０８は、センサテーブルを用いて、対象光源部の光源番号ｂｌｋ＿ｎｕｍに対応する位置座標（ｓｘ，ｓｙ）を、対応光センサと対応温度センサの位置座標として判断する。そして、測定制御部１０８は、対象光源部の位置座標（ｘ，ｙ）を対象光源情報として出力し、対応光センサと対応温度センサの位置座標（ｓｘ，ｓｙ）を対応センサ情報として出力する。
【００４６】
補正値決定部１０９は、対象光源部についての測定によって取得された光検出値を、センサ情報記憶部１１３から取得する。補正値決定部１０９は、取得した光検出値と、基準検出値とに基づいて、対象光源部の発光補正値を決定する。そして、補正値決定部１０９は、決定した発光補正値を発光制御値決定部１１０へ出力する。基準検出値は、例えば、表示装置の製造時における光検出値である。本実施例では、複数の光源部２０１にそれぞれ対応する複数の基準検出値が予め定められている。例えば、図５に示すような基準値テーブルがテーブル記憶部１１４に予め記録されている。基準値テーブルは、位置座標（ｘ，ｙ）と基準検出値の対応関係を示す。基準値テーブルと、対象光源部の位置座標（ｘ，ｙ）とから、対象光源部の基準検出値を得ることができる。なお、２つ以上の光源部２０１に対して１つの基準検出値が予め定められていてもよいし、全ての光源部２０１の間で共通の基準検出値が予め定められていてもよい。
【００４７】
発光制御値決定部１１０は、各光源部２０１の発光制御値を発光制御部１１１へ出力する。具体的には、発光制御値決定部１１０は、以下の２つの処理のいずれかを行う。本実施例では、以下の２つの処理のいずれかが、画像入力部１０１から出力された画像データの各フレームについて行われる。
（１）各光源部２０１の初期発光制御値を発光制御部１１１へ出力する処理
（２）複数の光源部２０１のそれぞれについて、目標輝度と発光補正値に基づいて発光
制御値を決定し、決定した発光制御値を発光制御部１１１へ出力する処理
【００４８】
光源部２０１の発光輝度（発光量）の制御方法として、ＰＡＭ（Ｐｕｌｓｅ  Ａｍｐｌｉｔｕｄｅ  Ｍｏｄｕｌａｔｉｏｎ）制御、ＰＷＭ（Ｐｕｌｓｅ  Ｗｉｄｔｈ  Ｍｏｄｕｌａｔｉｏｎ）制御、等がある。光源の発光輝度の制御方法として、ＰＨＭ（Ｐｕｌｓｅ
Ｈａｒｍｏｎｉｃ  Ｍｏｄｕｌａｔｉｏｎ）制御もある。ＰＡＭ制御は、光源部２０１に供給する駆動信号（電圧、電流）の大きさであるパルス振幅を変更することにより、光源部２０１の発光輝度を変更する制御方法である。ＰＷＭ制御は、光源部２０１に供給する駆動信号の供給時間であるパルス幅を変更することにより、光源部２０１の発光輝度を変更する制御方法である。光源部２０１に供給する駆動信号の供給時間は「光源部２０１の点灯時間（発光部２０１が点灯する時間）」とも言える。ＰＷＭ制御は「所定期間の長さ（時間）に対する当該所定期間における光源部２０１の総点灯時間の比であるデューティ比を変更することにより、当該所定期間における光源部２０１の発光輝度を変更する制御方法」とも言える。ＰＨＭ制御は、パルス振幅とパルス幅の両方を変更することにより、光源部２０１の発光輝度を変更する制御方法である。
【００４９】
発光制御値は、光源部２０１の発光（発光輝度）を制御する制御値である。ＰＷＭ制御が行われる場合には、発光制御値としてパルス幅が使用される。ＰＡＭ制御が行われる場合には、発光制御値としてパルス振幅が使用される。ＰＨＭ制御が行われる場合には、発光制御値としてパルス幅とパルス振幅が使用される。本実施例では、ＰＷＭ制御が行われる例を説明する。
【００５０】
初期発光制御値は、発光制御値の初期値である。例えば、初期発光制御値は、表示装置の製造時に決定された発光制御値である。初期発光制御値の決定方法は特に限定されない。例えば、光源部２０１の発光輝度が所定輝度に略一致するような発光制御値が、初期発光制御値として決定される。「略一致」は「完全一致」を含む。本実施例では、複数の光源部２０１にそれぞれ対応する複数の初期発光制御値が予め定められている。なお、２つ以上の光源部２０１に対して１つの初期発光制御値が予め定められていてもよいし、全ての光源部２０１の間で共通の初期発光制御値が予め定められていてもよい。初期発光制御値は、例えば、ＲＯＭに予め記録されており、ＲＯＭから読み出される。
【００５１】
発光制御部１１１は、入力画像データに基づいて、複数の光源部２０１のそれぞれの発光（発光輝度）を制御する。本実施例では、発光制御部１１１は、複数の光源部２０１のそれぞれについて、発光制御値決定部１１０から出力された発光制御値に基づいて、光源部２０１の発光輝度を制御する。具体的には、発光制御部１１１は、画像出力部１０５から出力された垂直同期信号に応じて、表示画像の１つのフレーム期間を構成する複数の発光制御期間を決定する。発光制御期間は、光源部２０１の発光（発光輝度）が制御される期間である。発光制御部１１１は、複数の発光制御期間のそれぞれにおいて、発光制御値に応じて、光源部２０１の発光輝度を制御する。この処理が、複数の光源部２０１のそれぞれについて行われる。本実施例では、所定時間おきに、発光補正値が決定され、決定された発光補正値を用いて発光制御値が補正される。それにより、発光部２０１からの光に対応する光検出値に基づいて当該発光部２０１の発光を目標の発光に近づけるフィードバック制御が実現される。本実施例では、光源部２０１の発光輝度を目標輝度に近づけるフィードバック制御が実現される。
【００５２】
発光制御部１１１は、測定制御部１０８から対象光源情報と測定制御要求を取得すると、対象光源部以外の全ての光源部２０１を一時的に消灯する。例えば、対象光源部以外の全ての光源部２０１は、光センサ２０２での光検出（光源部２０１からの光の検出）に必要な時間だけ消灯される。対象光源部は、対象光源情報から判断される。発光制御部１１１は、対象光源部以外の全ての光源部２０１を一時的に消灯するタイミングで、検出値取
得部１１２へ測定要求を出力する。さらに、発光制御部１１１は、入力画像データに基づく対象光源部の発光から、対象光源部からの光の光センサ２０２による検出が可能か否かを判断する。具体的には、発光制御部１１１は、対象光源部の発光制御値から、対象光源部からの光の検出が可能か否かを判断する。そして、発光制御部１１１は、対象光源部からの光の検出が可能か否かの判断結果である測定可否情報を、検出値取得部１１２へ出力する。
【００５３】
なお、対象光源部の高精度な光検出値を取得できれば、上述した一時的な消灯において、対象光源部以外の複数の光源部の一部または全部が消灯されなくてもよい。例えば、対象光源部からの距離が距離閾値以上である光源部が消灯されなくてもよい。対象光源部の光検出値は、対象光源部からの光に対応する光検出値である。対象光源部からの光の検出が可能でないと判断された場合には、一時的な消灯が省略されてもよいし、一時的な消灯が省略されなくてもよい。本実施例では、対象光源部からの光の検出が可能でないと判断された場合には、一時的な消灯が省略される。
【００５４】
検出値取得部１１２は、センサ情報を測定制御部１０８から取得し、測定可否情報と測定要求を発光制御部１１１から取得する。検出値取得部１１２は、対応温度センサからの温度検出値の取得を行う。それにより、対象光源部の温度に対応する温度検出値が得られる。対象光源部からの光の検出が可能であると判断された場合には、検出値取得部１１２は、発光制御部１１１から測定要求を取得したタイミングで、対応光センサからの光検出値の取得をさらに行う。それにより、対象光源部以外の全ての光源部２０１が一時的に消灯された状態での光検出値が得られる。即ち、対象光源部からの光に対応する光検出値が得られる。対象光源部からの光の検出が可能であると判断されたか否かは、測定可否情報から判断される。対応光センサと対応温度センサとは、センサ情報から判断される。検出値取得部１１２は、取得した温度検出値と取得した測定可否情報とを、センサ情報記憶部１１３に記録する。対象光源部からの光の検出が可能であると判断された場合には、検出値取得部１１２は、取得した光検出値をセンサ情報記憶部１１３にさらに記録する。
【００５５】
センサ情報記憶部１１３は、複数の光源部２０１のそれぞれについて、温度検出値、光検出値、及び、測定可否情報を記憶する。センサ情報記憶部１１３は、複数の光源部２０１のそれぞれについて、複数の温度検出値、複数の光検出値、及び、複数の測定可否情報を記憶することができる。センサ情報記憶部１１３として、例えば、半導体メモリ、磁気ディスク、光ディスク、等が使用される。なお、テーブルの代わりに関数などが使用されてもよい。
【００５６】
テーブル記憶部１１４は、測定順序テーブル、センサテーブル、及び、基準値テーブルを予め記憶する。上述したように、本実施例では、優先光源決定部１０７によって測定順序テーブルが更新されることがある。テーブル記憶部１１４として、例えば、半導体メモリ、磁気ディスク、光ディスク、等が使用される。なお、テーブルの代わりに関数などが使用されてもよい。
【００５７】
次に、本実施例に係る制御装置１００の動作例について、図６のフローチャートを用いて説明する。図６は、本実施例に係るフィードバック制御（光源部２０１の発光輝度のフィードバック制御）に関する動作例を示すフローチャートである。本実施例では、表示装置に対する電源オン操作がユーザによって行われると、バックライトユニット２００の駆動時間の計測が開始され、図６の動作が開始される。なお、図６の動作の開始タイミングは、上記タイミングに限られない。例えば、フィードバック制御の開始を指示するユーザ操作に応じて、図６の動作が開始されてもよい。
【００５８】
まず、Ｓ６０１にて、フィードバック制御部１０６は、フィードバックカウント値ｆｂ
＿ｃｎｔを０に初期化する。
【００５９】
次に、Ｓ６０２にて、発光制御値決定部１１０は、各光源部２０１の初期発光制御値ＤｅｆＰＷＭを発光制御部１１１へ出力する。発光制御部１１１は、複数の光源部２０１のそれぞれについて、初期発光制御値ＤｅｆＰＷＭに基づいて、光源部２０１の発光輝度を制御する。
【００６０】
そして、Ｓ６０３にて、フィードバック制御部１０６は、バックライトユニット２００の駆動時間が駆動時間閾値を超えたか否かを判断する。本実施例では、Ｓ６０３〜Ｓ６０６の処理が繰り返し行われる。１回目のＳ６０３の処理では、電源オン操作が行なわれてからの駆動時間が駆動時間閾値を超えたか否かが判断される。２回目以降のＳ６０３の処理では、直前のフィードバック制御が行われてからの駆動時間が駆動時間閾値を超えたか否かが判断される。駆動時間が駆動時間閾値を超えたと判断されるまでＳ６０３の処理が繰り返され、駆動時間が駆動時間閾値を超えたと判断されるとＳ６０４へ処理が進められる。駆動時間閾値は特に限定されない。例えば、駆動時間閾値は３０秒である。その場合には、３０秒経過する度にＳ６０３〜Ｓ６０６の処理が行われる。
【００６１】
Ｓ６０４にて、フィードバック制御部１０６は、各光源部２０１の発光補正値を決定し、各光源部２０１の発光補正値を発光制御値決定部１１０へ出力する。本実施例では、１つの光源部２０１の発光補正値を決定する処理が、表示画像の１つのフレーム期間に１回行われる。そして、複数のフレーム期間を使って複数の光源部２０１にそれぞれ対応する複数の発光補正値が決定されてもよい。なお、２つ以上の光源部２０１にそれぞれ対応する２つ以上の発光補正値が、１つのフレーム期間に決定されてもよい。１つのフレーム期間に全ての光源の発光輝度補正値が決定されてもよい。
【００６２】
次に、Ｓ６０５にて、フィードバック制御部１０６は、フィードバックカウント値ｆｂ＿ｃｎｔを１だけインクリメントする。
【００６３】
そして、Ｓ６０６にて、発光制御値決定部１１０は、各光源部２０１の発光制御値ＰＷＭを決定し、各光源部２０１の発光制御値ＰＷＭを発光制御部１１１へ出力する。発光制御部１１１は、複数の光源部２０１のそれぞれについて、発光制御値ＰＷＭに基づいて、光源部２０１の発光輝度を制御する。その後、Ｓ６０３へ処理が戻される。
【００６４】
発光制御値ＰＷＭは、Ｓ６０４で決定された発光補正値Ｃｏｒｒと、目標輝度決定部１０２により決定された目標輝度Ｌｔｇｔとに基づいて決定される。本実施例では、以下の式１を用いて発光制御値ＰＷＭが算出される。式１において、「ＰＷＭ（ｘ，ｙ）」は、位置座標（ｘ，ｙ）の光源部２０１の発光制御値ＰＷＭである。「Ｌｔｇｔ（ｘ，ｙ）」は、位置座標（ｘ，ｙ）の光源部２０１の目標輝度Ｌｔｇｔである。「Ｃｏｒｒ（ｘ，ｙ）」は、位置座標（ｘ，ｙ）の光源部２０１の発光補正値Ｃｏｒｒである。
ＰＷＭ（ｘ，ｙ）＝Ｌｔｇｔ（ｘ，ｙ）×Ｃｏｒｒ（ｘ，ｙ）  ・・・（式１）
【００６５】
なお、発光制御値ＰＷＭの決定方法は上記方法に限られない。例えば、発光制御値ＰＷＭ、発光補正値Ｃｏｒｒ、及び、目標輝度Ｌｔｇｔの対応関係を表すテーブルを用いて、発光制御値ＰＷＭが決定されてもよい。
【００６６】
次に、フィードバック制御部１０６の動作例について、図７のフローチャートを用いて説明する。図７は、図６のＳ６０４の処理例を示すフローチャートである。
【００６７】
まず、Ｓ７０１にて、フィードバック制御部１０６は、測定カウント値ｂｌｋ＿ｃｎｔを０に初期化する。
【００６８】
次に、Ｓ７０２にて、測定制御部１０８は、測定カウント値ｂｌｋ＿ｃｎｔ、測定順序テーブル、及び、センサテーブルに基づいて、対象光源部を選択する。具体的には、測定制御部１０８は、測定順序テーブルを用いて、測定番号ｐｒｉ＿ｎｕｍ＝ｂｌｋ＿ｃｎｔに対応する光源番号ｂｌｋ＿ｎｕｍを、対象光源部の光源番号ｂｌｋ＿ｎｕｍとして判断する。そして、測定制御部１０８は、センサテーブルを用いて、対象光源部の光源番号ｂｌｋ＿ｎｕｍに対応する位置座標（ｘ，ｙ）を、対象光源部の位置座標として判断する。
【００６９】
そして、Ｓ７０３にて、測定制御部１０８は、測定カウント値ｂｌｋ＿ｃｎｔ、測定順序テーブル、及び、センサテーブルに基づいて、対応光センサと対応温度センサを選択する。具体的には、測定制御部１０８は、センサテーブルを用いて、対象光源部の光源番号ｂｌｋ＿ｎｕｍに対応する位置座標（ｓｘ，ｓｙ）を、対応光センサと対応温度センサの位置座標として判断する。対象光源部の光源番号ｂｌｋ＿ｎｕｍはＳ７０２で判断されているため、Ｓ７０３では、対象光源部の光源番号ｂｌｋ＿ｎｕｍの判断は省略される。
【００７０】
次に、Ｓ７０４にて、測定制御部１０８は、Ｓ７０２で得られた位置座標（ｘ，ｙ）を対象光源情報として発光制御部１１１へ出力し、Ｓ７０３で得られた位置座標（ｓｘ，ｓｙ）を対応センサ情報として検出値取得部１１２へ出力する。さらに、測定制御部１０８は、測定制御要求を発光制御部１１１へ出力する。それにより、測定カウント値ｂｌｋ＿ｃｎｔの測定が行われる。
【００７１】
そして、Ｓ７０５にて、フィードバック制御部１０６は、測定カウント値ｂｌｋ＿ｃｎｔを１だけインクリメントする。
【００７２】
次に、Ｓ７０６にて、フィードバック制御部１０６は、測定カウント値ｂｌｋ＿ｃｎｔから、全ての光源部２０１について測定が行われたか否かを判断する。測定が行われていない光源部２０１が存在する場合には、Ｓ７０２へ処理が戻される。全ての光源部２０１について測定が行われたと判断されるまでＳ７０２〜Ｓ７０６の処理が繰り返し行われ、全ての光源部２０１について測定が行われたと判断されると、Ｓ７０７へ処理が進められる。本実施例では、フィードバック制御部１０６は、測定カウント値ｂｌｋ＿ｃｎｔが光源部２０１の数よりも小さい場合に、測定が行われていない光源部２０１が存在すると判断する。そして、フィードバック制御部１０６は、測定カウント値ｂｌｋ＿ｃｎｔが光源部２０１の数と等しい場合に、全ての光源部２０１について測定が行われたと判断する。
【００７３】
Ｓ７０７にて、補正値決定部１０９は、各光源部２０１の発光補正値Ｃｏｒｒを決定する。それにより、発光補正値Ｃｏｒｒが生成されたり、発光補正値Ｃｏｒｒが更新されたりする。発光補正値Ｃｏｒｒは、Ｓ７０４で得られた光検出値Ｓｃｕｒと、所定の基準検出値Ｓｂａｓｅとに基づいて決定される。本実施例では、以下の式２を用いて発光補正値Ｃｏｒｒが算出される。式２において、「Ｓｃｕｒ（ｘ，ｙ）」は、位置座標（ｘ，ｙ）の光源部２０１の光検出値Ｓｃｕｒである。「Ｓｂａｓｅ（ｘ，ｙ）」は、位置座標（ｘ，ｙ）の光源部２０１の基準検出値Ｓｂａｓｅである。
Ｃｏｒｒ（ｘ，ｙ）＝Ｓｂａｓｅ（ｘ，ｙ）／Ｓｃｕｒ（ｘ，ｙ）  ・・・（式２）
【００７４】
本実施例では、Ｓ７０４で光検出値Ｓｃｕｒが得られない場合がある。そのような場合には、例えば、過去の光検出値を用いて発光補正値Ｃｏｒｒが決定されたり、発光補正値Ｃｏｒｒの決定を省略して過去の発光補正値が引き続き使用されたりする。過去の光検出
値は、例えば、最後に得られた光検出値、現在までに得られた複数の光検出値、等である。過去の発光補正値は、例えば、最後に得られた発光補正値などである。
【００７５】
なお、発光補正値Ｃｏｒｒの決定方法は上記方法に限られない。例えば、発光補正値Ｃｏｒｒ、光検出値Ｓｃｕｒ、及び、基準検出値の対応関係を表すテーブルを用いて、発光補正値Ｃｏｒｒが決定されてもよい。本実施例では、式１に示すように、発光補正値Ｃｏｒｒとして、目標輝度Ｌｔｇｔに乗算するゲイン値が得られる。発光補正値Ｃｏｒｒはゲイン値に限られない。例えば、発光補正値Ｃｏｒｒとして、目標輝度Ｌｔｇｔに加算するオフセット値が得られてもよい。
【００７６】
次に、Ｓ７０８にて、優先光源決定部１０７は、温度検出値と測定可否情報に基づいて優先光源部を決定し、測定光源部の決定結果に基づいて測定順序テーブルを補正する。測定順序テーブルは、例えば、優先光源部が存在する場合にのみ補正される。
【００７７】
次に、本実施例に係る測定例について、図８のフローチャートを用いて説明する。図８は、図７のＳ７０４の処理例を示すフローチャートである。まず、対象光源部からの光の検出が可能である場合の例を、図９（Ａ）〜９（Ｆ）をさらに用いて説明する。図９（Ａ）はフレーム期間を示し、図９（Ｂ）は発光制御期間を示し、図９（Ｃ）〜９（Ｆ）は、４つの光源部２０１の状態（点灯または消灯）を示す。
【００７８】
ここでは、フィードバックカウント値ｆｂ＿ｃｎｔが０であるとする。さらに、図１０に示すように、位置座標（ｘ，ｙ）＝（１，１）の光源部２０１が対象光源部として選択されたとする。そして、図１０に示すように、位置座標（ｓｙ，ｓｙ）＝（１，１）の光センサ２０２が対応光センサとして選択され、位置座標（ｓｙ，ｓｙ）＝（１，１）の温度センサ２０３が対応温度センサとして選択されたとする。以後、位置座標（ｘ，ｙ）の光源部２０１を「光源部（ｘ，ｙ）」と記載し、位置座標（ｓｘ，ｓｙ）の光センサ２０２を「光センサ（ｓｘ，ｓｙ）」と記載し、位置座標（ｓｘ，ｓｙ）の温度センサ２０３を「温度センサ（ｓｘ，ｓｙ）」と記載する。さらに、ここでは、図９（Ａ）に示すように、表示画像の１つのフレーム期間の長さが１／６０秒であるとする。
【００７９】
まず、Ｓ８０１にて、発光制御部１１１は、画像出力部１０５から出力された垂直同期信号に応じて、１つのフレーム期間を構成する複数の発光制御期間を決定する。本実施例では、図９（Ｂ）に示すように、１つのフレーム期間を構成する４つの発光制御期間が決定される。１つのフレーム期間の長さが１／６０秒であるため、各発光制御期間の長さは１／２４０秒となる。そして、発光制御部１１１は、複数の発光制御期間のそれぞれにおいて、発光制御値ＰＷＭに応じて、光源部２０１の発光輝度のＰＷＭ制御を行う。具体的には、発光制御部１１１は、複数の発光制御期間のそれぞれにおいて、発光制御値ＰＷＭに応じた長さ（入力画像データに基づく長さ）の点灯期間を設定する。点灯期間は、光源部２０１が点灯する期間である。このように、本実施例では、光源部２０１の点灯期間の長さを入力画像データ（発光制御値ＰＷＭ）に基づいて制御することにより、光源部２０１の発光（発光輝度）が制御される。この処理が、複数の光源部２０１のそれぞれについて行われる。
【００８０】
本実施例では、光源部（１，１）については、発光制御期間の開始時刻に点灯が開始されるようにＰＷＭ制御が行われる。例えば、光源部（１，１）については、図９（Ｃ）に示すように、発光制御期間の開始時刻ｔ１に点灯が開始されるようにＰＷＭ制御が行われる。
【００８１】
光源部（１，２）については、発光制御期間の開始時刻の１／９６０秒後に点灯が開始されるようにＰＷＭ制御が行われる。例えば、光源部（１，２）については、図９（Ｄ）
に示すように、時刻ｔ１の１／９６０秒後の時刻ｔ２に点灯が開始されるようにＰＷＭ制御が行われる。
【００８２】
光源部（１，３）については、発光制御期間の開始時刻の２／９６０秒後に点灯が開始されるようにＰＷＭ制御が行われる。例えば、光源部（１，３）については、図９（Ｅ）に示すように、時刻ｔ１の２／９６０秒後の時刻ｔ３に点灯が開始されるようにＰＷＭ制御が行われる。
【００８３】
光源部（１，４）については、発光制御期間の開始時刻の３／９６０秒後に点灯が開始されるようにＰＷＭ制御が行われる。例えば、光源部（１，４）については、図９（Ｆ）に示すように、時刻ｔ１の３／９６０秒後の時刻ｔ２に点灯が開始されるようにＰＷＭ制御が行われる。
【００８４】
このように、複数の光源部２０１の間で点灯開始タイミングを異ならせることにより、バックライトユニット２００の消費電力の時間変化を平滑化することができる。なお、２つ以上の光源部２０１の間で点灯開始タイミングが同じであってもよいし、全ての光源部２０１の間で点灯開始タイミングが同じであってもよい。点灯開始タイミングは特に限定されない。
【００８５】
なお、フレーム期間の長さは、１／６０秒より長くてもよいし、１／６０秒より短くてもよい。発光制御期間の長さ、発光制御期間の数、等は特に限定されない。１つのフレーム期間が４つより多くの発光制御期間によって構成されてもよいし、１つのフレーム期間が４つより少ない発光制御期間によって構成されてもよい。１つのフレーム期間と同じ１つの発光制御期間が使用されてもよい。発光制御期間の長さ、発光制御期間の数、等が変更可能であってもよい。複数の発光制御期間は、フレーム期間を等分割して得られる複数の期間でなくてもよい。互いに異なる複数の周期で光源部２０１の発光が制御されるように、フレーム期間が複数の発光制御期間に分割されてもよい。
【００８６】
次に、Ｓ８０２にて、発光制御部１１１は、対象光源部の発光制御値ＰＷＭから、対象光源部からの光の検出が可能か否かを判断する。対象光源部からの光の検出が可能か否かの判断方法は特に限定されない。本実施例では、発光制御部１１１は、対象光源部の点灯期間の長さが点灯時間閾値以上である場合に、対象光源部からの光の検出が可能であると判断する。そして、発光制御部１１１は、対象光源部の点灯期間の長さが点灯時間閾値未満である場合に、対象光源部からの光の検出が可能でないと判断する。具体的には、発光制御部１１１は、対象光源部の発光制御値ＰＷＭがＰＷＭ閾値Ｔｈ＿ＰＷＭ以上である場合に、対象光源部からの光の検出が可能であると判断する。そして、発光制御部１１１は、対象光源部の発光制御値ＰＷＭがＰＷＭ閾値Ｔｈ＿ＰＷＭ未満である場合に、対象光源部からの光の検出が可能でないと判断する。ＰＷＭ閾値Ｔｈ＿ＰＷＭは、例えば、光センサ２０２での光検出に必要な時間の下限に基づいて予め決定された閾値である。
【００８７】
発光制御部１１１は、対象光源部からの光の検出が可能であると判断した場合に、対象光源部（ｘ，ｙ）の測定可否情報ＥｎＩｎｆｏ（ｘ，ｙ，ｆｂ＿ｃｎｔ）＝Ｔｒｕｅを設定する。そして、発光制御部１１１は、対象光源部からの光の検出が可能でないと判断した場合に、対象光源部（ｘ，ｙ）の測定可否情報ＥｎＩｎｆｏ（ｘ，ｙ，ｆｂ＿ｃｎｔ）＝Ｆａｌｓｅを設定する。測定可否情報ＥｎＩｎｆｏ（ｘ，ｙ，ｆｂ＿ｃｎｔ）は、光源部（ｘ，ｙ）とフィードバックカウント値ｆｂ＿ｃｎｔに対応する。
【００８８】
ここでは、発光制御値ＰＷＭが０〜２５５の２５６段階の値であるとする。そして、対象光源部（１，１）の発光制御値ＰＷＭ（１，１）が１２８であり、ＰＷＭ閾値Ｔｈ＿ＰＷＭが３２であるとする。この場合には、発光制御値ＰＷＭ（１，１）＝１２８がＰＷＭ
閾値Ｔｈ＿ＰＷＭ＝３２よりも大きいため、対象光源部（１，１）からの光の検出が可能であると判断される。そして、フィードバックカウント値ｆｂ＿ｃｎｔは０であるため、測定可否情報ＥｎＩｎｆｏ（１，１，０）＝Ｔｒｕｅが設定される。
【００８９】
そして、Ｓ８０３にて、発光制御部１１１は、対象光源部（ｘ，ｙ）の測定可否情報ＥｎＩｎｆｏ（ｘ，ｙ，ｆｂ＿ｃｎｔ）を検出値取得部１１２へ出力する。さらに、発光制御部１１１は、対象光源部（ｘ，ｙ）の測定可否情報ＥｎＩｎｆｏ（ｘ，ｙ，ｆｂ＿ｃｎｔ）がＴｒｕｅであるか否かに応じて処理を切り替える。対象光源部（ｘ，ｙ）の測定可否情報ＥｎＩｎｆｏ（ｘ，ｙ，ｆｂ＿ｃｎｔ）がＴｒｕｅである場合にはＳ８０４へ処理が進められる。対象光源部（ｘ，ｙ）の測定可否情報ＥｎＩｎｆｏ（ｘ，ｙ，ｆｂ＿ｃｎｔ）がＦａｌｓｅである場合にはＳ８０６へ処理が進められる。ここでは、対象光源部（１，１）の測定可否情報ＥｎＩｎｆｏ（１，１，０）はＴｒｕｅであるため、Ｓ８０４へ処理が進められる。
【００９０】
Ｓ８０４にて、発光制御部１１１は、対象光源部以外の全ての光源部２０１を一時的に消灯し、検出値取得部１１２へ測定要求を出力する。本実施例では、１つのフレーム期間を構成する４つの発光制御期間のうちの最後の発光制御期間に、対象光源部以外の全ての光源部２０１が一時的に消灯される。ここでは、図９（Ｃ）〜９（Ｆ）に示すように、時刻ｔ５から時刻ｔ６までの期間において、対象光源部（１，１）以外の全ての光源部２０１が消灯される。なお、上述した一時的な消灯が行われる期間は、特に限定されない。例えば、最後の発光制御期間とは異なる発光制御期間に、一時的な消灯が行われてもよい。一時的な消灯の期間に本来点灯するはずであった光源部２０１を、一時的な消灯の後に、本来点灯するはずであった時間だけ点灯させてもよい。
【００９１】
次に、Ｓ８０５にて、検出値取得部１１２は、対象光源部（ｘ，ｙ）の光検出値Ｓｃｕｒ（ｘ，ｙ）を対応光センサ（ｓｘ，ｓｙ）から取得する。光検出値（ｘ，ｙ）は、測定要求を取得したタイミングで取得される。ここでは、対応光センサ（１，１）から光検出値Ｓｃｕｒ（１，１）が取得される。その後、Ｓ８０６へ処理が進められる。
【００９２】
Ｓ８０６にて、検出値取得部１１２は、対象光源部（ｘ，ｙ）の温度検出値ＴＳ（ｘ，ｙ）を対応温度センサ（ｓｘ，ｓｙ）から取得する。ここでは、対応温度センサ（１，１）から温度検出値ＴＳ（１，１）が取得される。
【００９３】
次に、対象光源部からの光の検出が可能でない場合の例を、図８と図１１（Ａ）〜１１（Ｆ）とを用いて説明する。図１１（Ａ）はフレーム期間を示し、図１１（Ｂ）は発光制御期間を示し、図１１（Ｃ）〜１１（Ｆ）は、４つの光源部２０１の状態（点灯または消灯）を示す。図１１（Ａ）〜１１（Ｆ）は、図１２（Ａ）の入力画像データが取得された場合の例を示す。図１２（Ａ）の入力画像データは、黒色の画像領域と白色の画像領域とを有する。図１２（Ａ）の入力画像データが取得された場合には、図１２（Ｂ）に示すように、黒色の画像領域に対応する光源部２０１の発光制御値ＰＷＭとして、ＰＷＭ閾値Ｔｈ＿ＰＷＭ以下の値（例えば０）が使用される。
【００９４】
ここでは、フィードバックカウント値ｆｂ＿ｃｎｔが４であるとする。さらに、図１３に示すように、光源部（５，１）が対象光源部として選択されたとする。そして、図１３に示すように、光センサ（３，１）が対応光センサとして選択され、温度センサ（３，１）が対応温度センサとして選択されたとする。
【００９５】
まず、Ｓ８０１にて、複数の光源部２０１のそれぞれについて、発光制御値ＰＷＭに応じて、光源部２０１の発光輝度のＰＷＭ制御を行う。
【００９６】
次に、Ｓ８０２にて、発光制御部１１１は、対象光源部（ｘ，ｙ）の発光制御値ＰＷＭ（ｘ，ｙ）から、対象光源部からの光の検出が可能か否かを判断し、対象光源部（ｘ，ｙ）の測定可否情報ＥｎＩｎｆｏ（ｘ，ｙ，ｆｂ＿ｃｎｔ）を設定する。ここでは、対象光源部（５，１）の発光制御値ＰＷＭ（５，１）が０であるとする。この場合には、発光制御値ＰＷＭ（５，１）＝１２８がＰＷＭ閾値Ｔｈ＿ＰＷＭ＝３２よりも小さいため、対象光源部（５，１）からの光の検出が可能でないと判断される。そして、フィードバックカウント値ｆｂ＿ｃｎｔは４であるため、測定可否情報ＥｎＩｎｆｏ（５，１，４）＝Ｆａｌｓｅが設定される。
【００９７】
そして、Ｓ８０３にて、発光制御部１１１は、対象光源部（ｘ，ｙ）の測定可否情報ＥｎＩｎｆｏ（ｘ，ｙ，ｆｂ＿ｃｎｔ）を検出値取得部１１２へ出力する。さらに、発光制御部１１１は、対象光源部（ｘ，ｙ）の測定可否情報ＥｎＩｎｆｏ（ｘ，ｙ，ｆｂ＿ｃｎｔ）がＴｒｕｅであるか否かに応じて処理を切り替える。ここでは、対象光源部（５，１）の測定可否情報ＥｎＩｎｆｏ（５，１，４）はＦａｌｓｅであるため、Ｓ８０４とＳ８０５の処理が省略され、Ｓ８０６へ処理が進められる。なお、Ｓ８０４とＳ８０５の処理が行われたとしても、図１１（Ｄ）に示すように、一時的な消灯の期間に対象光源部（５，１）は消灯する。そのため、対象光源部（５，１）の光検出値Ｓｃｕｒ（５，１）を取得することはできない。
【００９８】
Ｓ８０６にて、検出値取得部１１２は、対象光源部（ｘ，ｙ）の温度検出値ＴＳ（ｘ，ｙ）を対応温度センサ（ｓｘ，ｓｙ）から取得する。ここでは、対応温度センサ（５，１）から温度検出値ＴＳ（５，１）が取得される。
【００９９】
次に、本実施例に係る測定順序テーブルを補正例について、図１４のフローチャートを用いて説明する。図１４は、図７のＳ７０８の処理例を示すフローチャートである。本実施例では、以下の処理により、対象光源部からの光の検出が可能であるか否かの判断結果と、温度検出値の変化とに基づいて、優先光源部が決定される。なお、対象光源部からの光の検出が可能であるか否かの判断結果と、温度検出値の変化とに基づいて、優先光源部が決定されれば、優先光源部の決定方法は特に限定されない。
【０１００】
まず、Ｓ１４０１にて、優先光源決定部１０７は、測定カウント値ｂｌｋ＿ｃｎｔを０に初期化する。
【０１０１】
次に、Ｓ１４０２にて、優先光源決定部１０７は、光源番号ｂｌｋ＿ｎｕｍ＝ｂｌｋ＿ｃｎｔに対応する光源部（ｘ，ｙ）について、対象光源部からの光の検出が可能でないと回数閾値以上連続して判断されたか否かを判断する。具体的には、最新の測定可否情報ＥｎＩｎｆｏ（ｘ，ｙ，ｔｎ）からＪＮｕｍ個前の測定可否情報ＥｎＩｎｆｏ（ｘ，ｙ，ｔｎ−Ｊｎｕｍ）までのＪＮｕｍ＋１個の測定可否情報ＥｎＩｎｆｏが全てＦａｌｓｅであるか否かを判断する。光源番号ｂｌｋ＿ｎｕｍ＝ｂｌｋ＿ｃｎｔに対応する光源部（ｘ，ｙ）について、対象光源部からの光の検出が可能でないと回数閾値以上連続して判断された場合には、ＪＮｕｍ＋１個の測定可否情報ＥｎＩｎｆｏが全てＦａｌｓｅであると判断される。光源番号ｂｌｋ＿ｎｕｍ＝ｂｌｋ＿ｃｎｔに対応する光源部（ｘ，ｙ）について、対象光源部からの光の検出が可能でないと回数閾値以上連続して判断されなかった場合には、ＪＮｕｍ＋１個の測定可否情報ＥｎＩｎｆｏが全てＦａｌｓｅであると判断されない。
【０１０２】
そして、Ｓ１４０３にて、優先光源決定部１０７は、ＪＮｕｍ＋１個の測定可否情報ＥｎＩｎｆｏが全てＦａｌｓｅであると判断したか否かに応じて処理を切り替える。ＪＮｕｍ＋１個の測定可否情報ＥｎＩｎｆｏが全てＦａｌｓｅであると判断された場合には、Ｓ１４０４へ処理が進められる。ＪＮｕｍ＋１個の測定可否情報ＥｎＩｎｆｏが全てＦａｌ
ｓｅであると判断されなかった場合には、Ｓ１４０７へ処理が進められる。
【０１０３】
Ｓ１４０４にて、優先光源決定部１０７は、光源番号ｂｌｋ＿ｎｕｍ＝ｂｌｋ＿ｃｎｔに対応する光源部（ｘ，ｙ）について、温度検出値ＴＳ（ｘ，ｙ）の変化を判断する。具体的には、対象光源部からの光の検出が可能であると最後に判断されてから温度検出値ＴＳ（ｘ，ｙ）が温度閾値Ｔｈ＿Ｔｅｍｐ以上変化したか否かを判断する。ここで、対象光源部からの光の検出が可能であると最後に判断されたタイミングでの温度検出値ＴＳ（ｘ，ｙ）を「温度検出値ＴＳ（ｘ，ｙ，ｔｇ）」と記載する。そして、最新の温度検出値ＴＳ（ｘ，ｙ）を「温度検出値ＴＳ（ｘ，ｙ，ｔｎ）」と記載する。優先光源決定部１０７は、温度検出値ＴＳ（ｘ，ｙ，ｔｎ）と温度検出値ＴＳ（ｘ，ｙ，ｔｇ）の差分絶対値が温度閾値Ｔｈ＿Ｔｅｍｐ以上であるか否かを判断する。温度検出値ＴＳ（ｘ，ｙ）が温度閾値Ｔｈ＿Ｔｅｍｐ以上変化した場合には、温度検出値ＴＳ（ｘ，ｙ，ｔｎ）と温度検出値ＴＳ（ｘ，ｙ，ｔｇ）の差分絶対値が温度閾値Ｔｈ＿Ｔｅｍｐ以上であると判断される。温度検出値ＴＳ（ｘ，ｙ）が温度閾値Ｔｈ＿Ｔｅｍｐ以上変化しなかった場合には、温度検出値ＴＳ（ｘ，ｙ，ｔｎ）と温度検出値ＴＳ（ｘ，ｙ，ｔｇ）の差分絶対値が温度閾値Ｔｈ＿Ｔｅｍｐ未満であると判断される。
【０１０４】
温度閾値Ｔｈ＿Ｔｅｍｐは特に限定されない。例えば、温度閾値Ｔｈ＿Ｔｅｍｐは、光源部２０１の発光特性の変化の大きさが特性閾値以上となる温度差に対応する。発光特性は、発光制御値ＰＷＭと発光（発光輝度）の対応関係である。
【０１０５】
次に、Ｓ１４０５にて、優先光源決定部１０７は、温度検出値ＴＳ（ｘ，ｙ，ｔｎ）と温度検出値ＴＳ（ｘ，ｙ，ｔｇ）の差分絶対値が温度閾値Ｔｈ＿Ｔｅｍｐ以上であると判断したか否かに応じて処理を切り替える。温度検出値ＴＳ（ｘ，ｙ，ｔｎ）と温度検出値ＴＳ（ｘ，ｙ，ｔｇ）の差分絶対値が温度閾値Ｔｈ＿Ｔｅｍｐ以上であると判断された場合には、Ｓ１４０６へ処理が進められる。温度検出値ＴＳ（ｘ，ｙ，ｔｎ）と温度検出値ＴＳ（ｘ，ｙ，ｔｇ）の差分絶対値が温度閾値Ｔｈ＿Ｔｅｍｐ以上であると判断されなかった場合には、Ｓ１４０７へ処理が進められる。
【０１０６】
Ｓ１４０６にて、優先光源決定部１０７は、光源番号ｂｌｋ＿ｎｕｍ＝ｂｌｋ＿ｃｎｔに対応する光源部（ｘ，ｙ）を優先光源部として決定する。具体的には、優先光源決定部１０７は、光源番号ｂｌｋ＿ｎｕｍ＝ｂｌｋ＿ｃｎｔに対応する光源部（ｘ，ｙ）の優先度として「ｈｉｇｈ」を設定する。そして、Ｓ１４０７へ処理が進められる。なお、Ｓ１４０６が省略されてＳ１４０５からＳ１４０７へ処理が進められる場合に、優先光源決定部１０７は、光源番号ｂｌｋ＿ｎｕｍ＝ｂｌｋ＿ｃｎｔに対応する光源部（ｘ，ｙ）の優先度として「ｌｏｗ」を設定する。
【０１０７】
Ｓ１４０７にて、優先光源決定部１０７は、測定カウント値ｂｌｋ＿ｃｎｔを１だけインクリメントする。
【０１０８】
次に、Ｓ１４０８にて、優先光源決定部１０７は、測定カウント値ｂｌｋ＿ｃｎｔから、全ての光源部２０１について優先度が決定されたか否かを判断する。優先度が決定されていない光源部２０１が存在する場合には、Ｓ１４０２へ処理が戻される。全ての光源部２０１について優先度が決定されたと判断されるまでＳ１４０２〜Ｓ１４０８の処理が繰り返し行われ、全ての光源部２０１について優先度が決定されたと判断されると、Ｓ１４０９へ処理が進められる。本実施例では、優先光源決定部１０７は、測定カウント値ｂｌｋ＿ｃｎｔが光源部２０１の数よりも小さい場合に、優先度が決定されていない光源部２０１が存在すると判断する。そして、優先光源決定部１０７は、測定カウント値ｂｌｋ＿ｃｎｔが光源部２０１の数と等しい場合に、全ての光源部２０１について優先度が決定されたと判断する。
【０１０９】
そして、Ｓ１４０９にて、優先光源決定部１０７は、各光源部２０１の優先度に基づいて測定順序テーブルを補正（更新）する。
【０１１０】
このように、本実施例では、対象光源部からの光の検出が可能でないと回数閾値以上連続して判断された１つ以上の光源部から、温度検出値の変化に基づいて、優先光源部が決定される。具体的には、対象光源部からの光の検出が可能でないと回数閾値以上連続して判断され、且つ、対象光源部からの光の検出が可能であると最後に判断されてから温度検出値が温度閾値以上変化した光源部が、優先光源部として決定される。
【０１１１】
次に、測定順序テーブルの補正の具体例について説明する。ここでは、画像全体が白色の入力画像データが３分程度表示された後、図１２（Ａ）の入力画像データが２分程度表示されながら、フィードバック制御が１０回行われた場合の例を説明する。さらに、ここでは、測定カウント値ｂｌｋ＿ｃｎｔが４であり、光源番号ｂｌｋ＿ｎｕｍ＝ｂｌｋ＿ｃｎｔ＝４に対応する光源部２０１が光源部（５，１）である場合の例を説明する。
【０１１２】
光源部（５，１）の最新の測定可否情報ＥｎＩｎｆｏ（５，１，ｔｎ）は、測定可否情報ＥｎＩｎｆｏ（５，１，９）である。数ＪＮｕｍ＝４の場合は、測定可否情報ＥｎＩｎｆｏ（５，１，９）から測定可否情報ＥｎＩｎｆｏ（５，１，５）までの５個の測定可否情報ＥｎＩｎｆｏが全てＦａｌｓｅである。そのため、図１４のＳ１４０３にて、優先光源決定部１０７は、Ｓ１４０４へ処理が進められるように、処理を切り替える。なお、閾値回数（ＪＮｕｍ＋１）、数ＪＮｕｍ、等は特に限定されない。例えば、数ＪＮｕｍは４より大きくても小さくてもよい。
【０１１３】
ここでは、温度閾値Ｔｈ＿Ｔｅｍｐが３℃であるとする。光源部（５，１）の最新の温度検出値ＴＳ（５，１，９）が２５℃であるとする。そして、光源部（５，１）について、対象光源部からの光の検出が可能であると最後に判断されたタイミングでの温度検出値ＴＳ（５，１，４）が３０℃であるとする。温度検出値ＴＳ（５，１，９）と温度検出値ＴＳ（５，１，４）の差分絶対値は、温度閾値Ｔｈ＿Ｔｅｍｐ＝３℃よりも大きい５℃である。そのため、Ｓ１４０５にて、優先光源決定部１０７は、Ｓ１４０６へ処理が進められるように、処理を切り替える。そして、Ｓ１４０６にて、優先光源決定部１０７は、光源番号ｂｌｋ＿ｎｕｍ＝ｂｌｋ＿ｃｎｔ＝４の優先度として「ｈｉｇｈ」を設定する。
【０１１４】
図１５（Ａ）は、対象光源部からの光の検出が可能でないと回数閾値以上連続して判断されたか否かの判断結果の一例を示す。図１５（Ａ）において、黒枠で囲まれた領域内の各光源部（ｘ，ｙ）は、対象光源部からの光の検出が可能でないと回数閾値以上連続して判断された光源部（ｘ，ｙ）である。他の光源部（ｘ，ｙ）は、対象光源部からの光の検出が可能でないと回数閾値以上連続して判断されなかった光源部（ｘ，ｙ）である。図１５（Ｂ）は、対象光源部からの光の検出が可能であると最後に判断されてから温度検出値が温度閾値Ｔｈ＿Ｔｅｍｐ以上変化したか否かの判断結果の一例を示す。図１５（Ｂ）において、黒枠で囲まれた領域内の各光源部（ｘ，ｙ）は、対象光源部からの光の検出が可能であると最後に判断されてから温度検出値が温度閾値Ｔｈ＿Ｔｅｍｐ以上変化した光源部（ｘ，ｙ）である。他の光源部（ｘ，ｙ）は、対象光源部からの光の検出が可能であると最後に判断されてから温度検出値が温度閾値Ｔｈ＿Ｔｅｍｐ以上変化しなかった光源部（ｘ，ｙ）である。
【０１１５】
図１５（Ａ），１５（Ｂ）の判断結果が得られた場合には、優先光源決定部１０７は、図１６（Ａ）に示すように、光源番号ｂｌｋ＿ｎｕｍ＝４〜７の優先度として「ｈｉｇｈ」を設定する。そして、優先光源決定部１０７は、他の光源番号ｂｌｋ＿ｎｕｍの優先度として「ｌｏｗ」を設定する。その後、優先光源決定部１０７は、各光源部２０１の優先
度に基づいて測定順序テーブルを補正する。具体的には、優先度「ｈｉｇｈ」の光源番号ｂｌｋ＿ｎｕｍに対して、優先度「ｌｏｗ」の光源番号ｂｌｋ＿ｎｕｍに対応する測定番号ｐｒｉ＿ｎｕｍよりも小さい測定番号ｐｒｉ＿ｎｕｍが対応付けられるように、測定順序テーブルが補正される。図１６（Ｂ）は、図１６（Ａ）の各優先度に基づいて補正された後の測定順序テーブルの一例を示す。優先度が同じ複数の光源番号ｂｌｋ＿ｎｕｍの間での測定番号ｐｒｉ＿ｎｕｍの大小は特に限定されない。図１６（Ｂ）の例では、光源番号ｂｌｋ＿ｎｕｍに対して、光源番号ｂｌｋ＿ｎｕｍが小さいほど小さい測定番号ｐｒｉ＿ｎｕｍが対応付けられている。
【０１１６】
以上述べたように、本実施例によれば、対象光源部からの光の検出が可能か否かの判断結果と、温度検出値の変化とに基づいて、優先光源部が決定される。それにより、光検出の効率を向上することができ、ひいてはフィードバック制御の効率を向上することができる。具体的には、光検出値が得られないまま温度が変化して発光特性が変化した光源部について、他の光源部よりも優先して又は頻繁に、光の検出、発光補正値の決定、等を行うことができる。
【０１１７】
なお、優先光源部は、対象光源部からの光の検出が可能でないと回数閾値以上連続して判断され、且つ、対象光源部からの光の検出が可能であると最後に判断されてから温度検出値が温度閾値以上変化した光源部に限られない。例えば、対象光源部からの光の検出が可能でないと回数閾値以上連続して判断された光源部が、温度変化に拘らずに、対象光源部として決定されてもよい。
【０１１８】
なお、優先度の段階数は、「ｌｏｗ」と「ｈｉｇｈ」の２段階より多くてもよい。例えば、対象光源部からの光の検出が可能でないと回数閾値以上連続して判断され、且つ、対象光源部からの光の検出が可能であると最後に判断されてから温度検出値が温度閾値以上変化した光源部の優先度として「ｖｅｒｙ  ｈｉｇｈ」が設定されてもよい。対象光源部からの光の検出が可能でないと回数閾値以上連続して判断された他の光源部の優先度として「ｈｉｇｈ」が設定されてもよい。そして、残りの光源部の優先度として「ｌｏｗ」が設定されてもよい。図１７は、測定カウント値と優先度の対応関係の一例を示す。この場合には、測定順序テーブルの補正により、優先度「ｖｅｒｙ  ｈｉｇｈ」の測定カウント値に対して、優先度「ｈｉｇｈ」，「ｌｏｗ」の測定カウント値に対応する測定番号ｐｒｉ＿ｎｕｍよりも小さい測定番号ｐｒｉ＿ｎｕｍが対応付けられる。そして、優先度「ｈｉｇｈ」の測定カウント値に対して、優先度「ｌｏｗ」の測定カウント値に対応する測定番号ｐｒｉ＿ｎｕｍよりも小さい測定番号ｐｒｉ＿ｎｕｍが対応付けられる。対象光源部からの光の検出が可能であると最後に判断されてからの温度検出値の変化が大きいほど優先して又は頻繁に、優先光源部が対象光源部として選択されるように、複数段階の優先度が決定されてもよい。
【０１１９】
＜実施例２＞
以下、本発明の実施例２について説明する。以下では、実施例１と異なる点（構成、処理、等）について詳しく説明し、実施例１と同じ点についての説明は省略する。図１８は、本実施例に係る表示装置の構成例を示すブロック図である。図１８において、実施例１の図１と同じ機能部には、図１と同じ符号が付されている。
【０１２０】
測定制御部１８０１は、実施例１の測定制御部１０８と同様の機能を有する。但し、測定制御部１８０１は、優先光源決定部１０７によって決定された優先光源部の情報を、発光制御部１８０２へ出力する。本実施例では、優先光源部の情報として、各光源部２０１の優先度を示す優先度情報が使用される。
【０１２１】
発光制御部１８０２は、実施例１の発光制御部１１１と同様の機能を有する。但し、発
光制御部１８０２は、優先光源部からの光の光センサ２０２による検出が可能か否かをさらに判断する。そして、発光制御部１８０２は、優先光源部からの光の検出が可能であると判断された場合に、光の検出が可能であると判断された優先光源部を示す測定可能通知を測定制御部１８０１へ出力する。それにより、光の検出が可能であると判断された優先光源部が対象光源部として選択され、当該優先光源部についての測定が行われる。優先光源部からの光の検出が可能か否かの判断方法は、対象光源部からの光の検出が可能か否かの判断方法と同じである。対象光源部からの光の検出が可能か否かの判断が、優先光源部からの光の検出が可能か否かの判断を兼ねてもよい。対象光源部からの光の検出が可能か否かの判断とは別に、優先光源部からの光の検出が可能か否かの判断が行われてもよい。
【０１２２】
本実施例では、実施例１と同様に、所定時間おきに、各光源部２０１に対する測定（光検出値、温度検出値、等の取得）が行われる。各光源部２０１に対する測定は、複数の光源部２０１のそれぞれを対象光源部として順番に選択する選択処理を含む。そして、本実施例では、優先光源部からの光の検出が可能であると判断された場合にも、各光源部２０１に対する測定が行われる。さらに、優先光源部からの光の検出が可能であると選択処理（各光源部２０１に対する測定）の途中で判断された場合には、選択処理が中断され、選択処理が初めから再度行われる。
【０１２３】
なお、光の検出が可能であると判断された優先光源部が対象光源部として選択され、当該優先光源部についての測定が行われれば、優先光源部からの光の検出が可能であると判断された後の処理は特に限定されない。例えば、優先光源部からの光の検出が可能であると判断された場合に、当該優先光源部についての測定のみが行われてもよい。複数の優先光源部が存在し、且つ、複数の優先光源部のいずれかからの光の検出が可能であると判断された場合に、複数の優先光源部についての測定のみが行われてもよい。
【０１２４】
次に、本実施例に係る制御装置１００の動作例について、図１９のフローチャートを用いて説明する。図１９は、本実施例に係るフィードバック制御に関する動作例を示すフローチャートである。図１９において、実施例１の図６と同じ処理には図６と同じ符号が付されている。
【０１２５】
本実施例では、Ｓ６０３の処理の前に、Ｓ１９０１の処理が行われる。Ｓ１９０１にて、フィードバック制御部１０６（測定制御部１８０１）は、測定可能通知を取得したか否かを判断する。測定可能通知を取得していないと判断された場合には、Ｓ６０３へ処理が進められる。測定可能通知を取得したと判断された場合には、Ｓ６０４へ処理が進められる。そのため、本実施例では、駆動時間が駆動時間閾値を超えたと判断された場合だけでなく、優先光源部からの光の検出が可能であると判断された場合にも、Ｓ６０４の処理が行われる。
【０１２６】
次に、本実施例に係るフィードバック制御部１０６の動作例について、図２０のフローチャートを用いて説明する。図２０は、図１９のＳ６０４の処理例を示すフローチャートである。図２０において、実施例１の図７と同じ処理には図７と同じ符号が付されている。
【０１２７】
本実施例では、Ｓ７０６の処理の前に、Ｓ２００１の処理が行われる。Ｓ２００１にて、フィードバック制御部１０６（測定制御部１８０１）は、測定可能通知を取得したか否かを判断する。測定可能通知を取得していないと判断された場合には、Ｓ７０６へ処理が進められる。測定可能通知を取得したと判断された場合には、Ｓ７０１へ処理が戻される。そのため、本実施例では、優先光源部からの光の検出が可能であるとＳ７０２〜Ｓ７０６の処理の途中で判断された場合に、Ｓ７０２〜Ｓ７０６の処理が中断され、Ｓ７０１から処理が再度行われる。
【０１２８】
以上述べたように、本実施例によれば、優先光源部からの光の検出が可能であると判断された場合に、優先光源部が対象光源部として選択される。それにより、優先光源部に対する測定をより早めることができ、光検出の効率をより向上することができ、ひいてはフィードバック制御の効率をより向上することができる。
【０１２９】
＜実施例３＞
以下、本発明の実施例３について説明する。以下では、実施例１と異なる点（構成、処理、等）について詳しく説明し、実施例１と同じ点についての説明は省略する。図２１は、本実施例に係る表示装置の構成例を示すブロック図である。図２１において、実施例１の図１と同じ機能部には、図１と同じ符号が付されている。
【０１３０】
画像入力部２１０１は、表示装置（制御装置１００）の外部から画像データ（入力画像データ）を取得し、入力画像データをデコードし、デコード後の画像データを画像合成部２１０２へ出力する。以後、画像入力部１０１から出力された画像データを「第１画像データ」と記載し、画像入力部２１０１から出力された画像データを「第２画像データ」と記載する。
【０１３１】
画像合成部２１０２は、入力画像データから表示画像データを生成し、表示画像データを画像補正部１０４と目標輝度決定部１０２へ出力する。本実施例に係る画像補正部１０４と目標輝度決定部１０２では、画像入力部１０１から出力された画像データの代わりに、表示画像データが使用される。それにより、表示装置では、表示画像データに基づく画像が表示される。本実施例では、表示装置によって表示される画像のレイアウトに関する表示モードが設定される。画像合成部２１０２では、設定されている表示モードに応じて、第１画像データと第２画像データから表示画像データを生成する。
【０１３２】
表示モード制御部２１０３は、表示装置（制御装置１００）に対するユーザ操作に応じて、画像合成部２１０２と表示解除判断部２１０４へ表示モードを設定する。表示モードとして、例えば、「第１表示モード」、「第２表示モード」、及び、「マルチ表示モード」のいずれかが設定される。第１表示モードは、第１画像データに基づく画像（第１画像）を表示する表示モードである（図２２（Ａ））。第２表示モードは、第２画像データに基づく画像（第２画像）を表示する表示モードである。マルチ表示モードは、第１画像と第２画像が配置された合成画像を表示する表示モードである（図２２（Ｂ））。
【０１３３】
第１表示モードが設定された場合には、画像合成部２１０２は、第１画像データを表示画像データとして出力する。第２表示モードが設定された場合には、画像合成部２１０２は、第２画像データを表示画像データとして出力する。マルチ表示モードが設定された場合には、画像合成部２１０２は、第１画像データと第２画像データを合成することにより表示画像データを生成する。第１画像データと第２画像データを合成する処理は、第１画像データの画像サイズを縮小する処理、第２画像データの画像サイズを縮小する処理、等を含む。
【０１３４】
なお、図２２（Ｂ）には、第１画像と第２画像が左右に並べられたピクチャ・アウト・ピクチャ表示の例が示されているが、第１画像と第２画像の配置は特に限定されない。例えば、第１画像と第２画像が上下に並べられてもよいし、第１画像と第２画像が斜めに並べられてもよい。第１画像の画像サイズと第２画像の画像サイズとが互いに異なっていてもよい。合成画像に配置される画像の数は２つより多くてもよい。表示モードの数は３つより多くても少なくてもよい。複数の表示モードは、マルチ表示モードとして、画像の外側に他の画像が配置されたピクチャ・アウト・ピクチャ表示のための表示モードと、画像の内側に他の画像が配置されたピクチャ・イン・ピクチャ表示のための表示モードとの一
方のみを含んでもよい。複数の表示モードは、マルチ表示モードとして、ピクチャ・アウト・ピクチャ表示のための表示モードと、ピクチャ・イン・ピクチャ表示のための表示モードとの両方を含んでもよい。表示モードの設定方法は特に限定されない。例えば、入力画像データの種類、入力画像データの数、等に応じて表示モードが設定されてもよい。
【０１３５】
表示解除判断部２１０４は、所定の表示が行われていた領域で所定の表示が行われなくなる表示解除を検出する。そして、表示解除判断部２１０４は、表示解除を検出すると、表示解除通知を測定制御部２１０６へ出力する。所定の表示は特に限定されないが、例えば、所定の表示は、対象光源部からの光の検出が可能でないと判断される表示である。本実施例では、所定の表示は、黒色の表示である。本実施例では、マルチ表示モードが設定された場合には、図２２（Ｂ）に示すように、第１画像と第２画像の上下に黒帯画像が表示される。そして、所定の表示は、黒帯画像の表示である。黒帯画像の領域では、例えば、発光制御値ＰＷＭとして、ＰＷＭ閾値Ｔｈ＿ＰＷＭ以下の値（例えば０）が使用される（図２２（Ｃ））。
【０１３６】
本実施例では、表示解除判断部２１０４は、表示装置によって表示される画像のレイアウトの変更に起因した表示解除を検出する。具体的には、表示解除判断部２１０４は、設定された表示モードの、表示解除をもたらす切り替わりを検出する。本実施例では、第１表示モードと第２表示モードでは黒帯画像は表示されず、マルチ表示モードで黒帯画像が表示される。そのため、設定された表示モードがマルチ表示モードから第１表示モードまたは第２表示モードへ切り替えられると、黒帯画像が切り得る表示解除が生じる。表示解除判断部２１０４は、設定された表示モードがマルチ表示モードから第１表示モードまたは第２表示モードへ切り替えられると、表示解除通知を測定制御部２１０６へ出力する。
【０１３７】
また、表示解除判断部２１０４は、黒帯画像の画像領域を示す黒領域情報を、優先光源決定部２１０５へ出力する。
【０１３８】
なお、表示解除の検出方法は特に限定されない。例えば、表示画像データに基づいて表示解除が検出されてもよい。具体的には、表示画像データを解析することで、所定の表示に対応する画像領域が検出されてもよい。そして、画像領域の検出結果の時間変化に基づいて表示解除が検出されてもよい。また、表示解除は、表示装置によって表示される画像のレイアウトの変更に起因したものに限られない。例えば、入力画像データの切り替えに起因して表示解除が発生してもよい。
【０１３９】
優先光源決定部２１０５は、実施例１の優先光源決定部１０７と同様の機能を有する。但し、優先光源決定部２１０５は、表示解除判断部２１０４からの黒領域情報に応じて、黒帯画像が表示される領域に対応する光源部２０１の優先度として「ｈｉｇｈ」を設定する。なお、黒帯画像が表示される領域に対応する光源部２０１については、対象光源部からの光の検出が可能でないと判断される。そして、黒帯画像表示される領域に対応する光源部２０１は、対象光源部からの光の検出が可能であると最後に判断されてから温度検出値が温度閾値以上変化すると、優先光源部として決定される。そのため、黒領域情報に応じて優先度を決定する処理は省略されてもよい。
【０１４０】
測定制御部２１０６は、実施例１の測定制御部１０８と同様の機能を有する。但し、測定制御部２１０６は、表示解除通知を取得すると、所定の表示（黒帯画像の表示）から他の表示へ表示が切り替わる領域に対応する優先光源部が対象光源部として選択され、当該優先光源部についての測定が行われるように、制御を行う。本実施例では、実施例１と同様に、所定時間おきに、選択処理（各光源部２０１に対する測定）が行われる。そして、本実施例では、表示解除が検出された場合にも、選択処理が行われる。さらに、選択処理の途中で表示解除が検出された場合には、選択処理が中断され、選択処理が初めから再度
行われる。
【０１４１】
なお、所定の表示から他の表示へ表示が切り替わる領域に対応する優先光源部が対象光源部として選択され、当該優先光源部についての測定が行われれば、表示解除が検出された後の処理は特に限定されない。例えば、表示解除が検出された場合に、所定の表示から他の表示へ表示が切り替わる領域に対応する優先光源部についての測定のみが行われてもよい。所定の表示から他の表示へ表示が切り替わる領域に対応する光源部２０１が優先光源部か否かに拘らず、当該光源部２０１についての測定のみが行われてもよい。
【０１４２】
次に、本実施例に係る制御装置１００の動作例について、図２３のフローチャートを用いて説明する。図２３は、本実施例に係るフィードバック制御に関する動作例を示すフローチャートである。図２３において、実施例１の図６と同じ処理には図６と同じ符号が付されている。
【０１４３】
本実施例では、Ｓ６０３の処理の前に、Ｓ２３０１の処理が行われる。Ｓ２３０１にて、フィードバック制御部１０６（測定制御部２１０６）は、表示解除通知を取得したか否かを判断する。表示解除通知を取得していないと判断された場合には、Ｓ６０３へ処理が進められる。表示解除通知を取得したと判断された場合には、Ｓ６０４へ処理が進められる。そのため、本実施例では、駆動時間が駆動時間閾値を超えたと判断された場合だけでなく、表示解除が検出された場合にも、Ｓ６０４の処理が行われる。
【０１４４】
次に、本実施例に係るフィードバック制御部１０６の動作例について、図２４のフローチャートを用いて説明する。図２４は、図２３のＳ６０４の処理例を示すフローチャートである。図２３において、実施例１の図７と同じ処理には図７と同じ符号が付されている。
【０１４５】
本実施例では、Ｓ７０６の処理の前に、Ｓ２４０１の処理が行われる。Ｓ２４０１にて、フィードバック制御部１０６（測定制御部１８０１）は、測定可能通知を取得したか否かを判断する。測定可能通知を取得していないと判断された場合には、Ｓ７０６へ処理が進められる。測定可能通知を取得したと判断された場合には、Ｓ７０１へ処理が戻される。そのため、本実施例では、Ｓ７０２〜Ｓ７０６の処理の途中で表示解除が検出された場合に、Ｓ７０２〜Ｓ７０６の処理が中断され、Ｓ７０１から処理が再度行われる。
【０１４６】
以上述べたように、本実施例によれば、表示解除が検出された場合に、所定の表示から他の表示へ表示が切り替わる領域に対応する優先光源部が対象光源部として選択される。それにより、所定の表示から他の表示へ表示が切り替わる領域に対応する優先光源部に対する測定をより早めることができ、光検出の効率をより向上することができ、ひいてはフィードバック制御の効率をより向上することができる。
【０１４７】
なお、実施例１〜３における各種閾値は、メーカによって予め定められた固定値であってもよいし、ユーザが変更可能な値であってもよい。
【０１４８】
なお、実施例１〜３の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１４９】
なお、実施例１〜３はあくまで一例であり、本発明の要旨の範囲内で実施例１〜３の構成を適宜変形したり変更したりすることにより得られる構成も、本発明に含まれる。実施例１〜３の構成を適宜組み合わせて得られる構成も、本発明に含まれる。
【０１５０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１５１】
１００：制御装置  １０２：目標輝度決定部  １０６：フィードバック制御部
１０７：優先光源決定部  １０８：測定制御部  １１０：発光制御値決定部
１１１：発光制御部  １１２：検出値取得部
【図１】
2018101083.tif 000003
【図２】
2018101083.tif 000004
【図３】
2018101083.tif 000005
【図４】
2018101083.tif 000006
【図５】
2018101083.tif 000007
【図６】
2018101083.tif 000008
【図７】
2018101083.tif 000009
【図８】
2018101083.tif 000010
【図９】
2018101083.tif 000011
【図１０】
2018101083.tif 000012
【図１１】
2018101083.tif 000013
【図１２】
2018101083.tif 000014
【図１３】
2018101083.tif 000015
【図１４】
2018101083.tif 000016
【図１５】
2018101083.tif 000017
【図１６】
2018101083.tif 000018
【図１７】
2018101083.tif 000019
【図１８】
2018101083.tif 000020
【図１９】
2018101083.tif 000021
【図２０】
2018101083.tif 000022
【図２１】
2018101083.tif 000023
【図２２】
2018101083.tif 000024
【図２３】
2018101083.tif 000025
【図２４】
2018101083.tif 000026
【図２５】
2018101083.tif 000027